(57)【特許請求の範囲】
【請求項１】
基地局装置が複数セルを割り当て、前記基地局装置と前記複数セルを介して通信を行なう移動局装置であって、
前記複数セルは、第一の上りリンク送信タイミングを有する１つ以上のセルから構成され、プライマリーセルを含む第一のグループと、前記第一の上りリンク送信タイミングと異なる第二の上りリンク送信タイミングを有する１つ以上のセカンダリーセルから構成される第二のグループと、にグループ化され、
前記グループ毎に、前記上り送信タイミングの有効期間は、送信タイミング情報を適用した場合にスタートまたはリスタートする送信タイミングタイマーを用いて管理され、
前記第一のグループの送信タイミングタイマーが満了した場合、前記複数のセルに対応する全ての送信ＨＡＲＱバッファのデータを消去し、
前記第二のグループの送信タイミングタイマーが満了した場合、前記第二のグループのセルに対応する送信ＨＡＲＱバッファのデータを消去することを特徴とする移動局装置。
【請求項２】
請求項１記載の移動局装置であって、
前記第一のグループの送信タイミングタイマーが満了した場合、前記複数のセルに割り当てられている上りリンク制御チャネルと測定用参照信号の無線リソースとを解放し、
前記第二のグループの送信タイミングタイマーが満了した場合、前記第二のグループのセルに割り当てられている測定用参照信号の無線リソースを解放することを特徴とする移動局装置。
【請求項３】
請求項１または請求項２記載の移動局装置であって、
前記第一のグループの送信タイミングタイマーが停止している場合、前記プライマリーセルに対するランダムアクセスプリアンブル送信を除き、全ての前記複数セルの上りリンク送信を行わず、
前記第二のグループの送信タイミングタイマーが停止している場合、前記第二のグループのセルに対するランダムアクセスプリアンブル送信を除き、前記第二のグループのセルの上りリンク送信を行わないことを特徴とする移動局装置。
【請求項４】
請求項１から請求項３のいずれか１項に記載の移動局装置であって、
前記第一のグループの送信タイミングタイマーが満了した場合、全ての上りリンク共用チャネル及び下りリンク共用チャネルの割り当て情報を破棄し、
前記第二のグループの送信タイミングタイマーが満了した場合、前記第二のグループのセルに割り当てられている上りリンク共用チャネルの割り当て情報を破棄することを特徴とする移動局装置。
【請求項５】
移動局装置が複数セルを割り当てられ、前記移動局装置と前記セルを介して通信を行なう基地局装置であって、
前記複数セルは、第一の上りリンク送信タイミングを有する１つ以上のセルから構成され、プライマリーセルを含む第一のグループと、前記第一の上りリンク送信タイミングと異なる第二の上りリンク送信タイミングを有する１つ以上のセカンダリーセルから構成される第二のグループと、にグループ化され、
前記グループ毎に、前記上り送信タイミングの有効期間は、送信タイミング情報を適用した場合にスタートまたはリスタートする送信タイミングタイマーを用いて管理され、
前記第一のグループの送信タイミングタイマーが満了した場合、前記複数のセルに対する上りリンク共用チャネルの割り当て処理を停止し、
前記第二のグループの送信タイミングタイマーが満了した場合、前記第二のグループのセルに対する上りリンク共用チャネルの割り当て処理を停止することを特徴とする基地局装置。
【請求項６】
請求項５記載の基地局装置であって、
前記第一のグループの送信タイミングタイマーが満了した場合、前記移動局装置に割り当てた前記複数のセルに対応する受信ＨＡＲＱバッファの全データを消去し、
前記第二のグループの送信タイミングタイマーが満了した場合、前記第二のグループのセルに対応する受信ＨＡＲＱバッファのデータを消去することを特徴とする基地局装置。
【請求項７】
請求項５または請求項６記載の基地局装置であって、
前記第一のグループの送信タイミングタイマーが満了した場合、前記移動局装置の前記複数のセルに割り当てた上りリンク制御チャネルと測定用参照信号の無線リソースとを解放し、
前記第二のグループの送信タイミングタイマーが満了した場合、前記移動局装置の前記第二のグループのセルに割り当てた測定用参照信号の無線リソースを解放することを特徴とする基地局装置。
【請求項８】
基地局装置が複数セルを割り当て、前記基地局装置と前記セルを介して通信を行なう無線通信システムであって、
前記複数セルは、第一の上りリンク送信タイミングを有する１つ以上のセルから構成され、プライマリーセルを含む第一のグループと、前記第一の上りリンク送信タイミングと異なる第二の上りリンク送信タイミングを有する１つ以上のセカンダリーセルから構成される第二のグループと、にグループ化され、
前記グループ毎に、前記上り送信タイミングの有効期間は、送信タイミング情報を適用した場合にスタートまたはリスタートする送信タイミングタイマーを用いて管理され、
前記第一のグループの送信タイミングタイマーが満了した場合、
前記基地局装置は、前記複数のセルに対する上りリンク共用チャネルの割り当て処理を停止し、前記移動局装置は、前記複数のセルに対応する全ての送信ＨＡＲＱバッファのデータを消去し、
前記第二のグループの送信タイミングタイマーが満了した場合、
前記基地局装置は、前記第二のグループのセルに対する上りリンク共用チャネルの割り当て処理を停止し、前記移動局装置は、前記第二のグループのセルに対応する送信ＨＡＲＱバッファのデータを消去することを特徴とする無線通信システム。
【請求項９】
基地局装置が複数セルを割り当て、前記基地局装置と前記セルを介して通信を行なう移動局装置の制御方法であって、
前記複数セルは、第一の上りリンク送信タイミングを有する１つ以上のセルから構成され、プライマリーセルを含む第一のグループと、前記第一の上りリンク送信タイミングと異なる第二の上りリンク送信タイミングを有する１つ以上のセカンダリーセルから構成される第二のグループと、にグループ化され、
前記グループ毎に、前記上り送信タイミングの有効期間は、送信タイミング情報を適用した場合にスタートまたはリスタートする送信タイミングタイマーを用いて管理され、
前記第一のグループの送信タイミングタイマーが満了した場合、前記複数のセルに対応する全ての送信ＨＡＲＱバッファのデータを消去し、
前記第二のグループの送信タイミングタイマーが満了した場合、前記第二のグループのセルに対応する送信ＨＡＲＱバッファのデータを消去することを特徴とする制御方法。
【請求項１０】
移動局装置が複数セルを割り当てられ、前記移動局装置と前記セルを介して通信を行なう基地局装置の制御方法であって、
前記複数セルは、第一の上りリンク送信タイミングを有する１つ以上のセルから構成され、プライマリーセルを含む第一のグループと、前記第一の上りリンク送信タイミングと異なる第二の上りリンク送信タイミングを有する１つ以上のセカンダリーセルから構成される第二のグループと、にグループ化され、
前記グループ毎に、前記上り送信タイミングの有効期間は、送信タイミング情報を適用した場合にスタートまたはリスタートする送信タイミングタイマーを用いて管理され、
前記第一のグループの送信タイミングタイマーが満了した場合、前記複数のセルに対する上りリンク共用チャネルの割り当て処理を停止し、
前記第二のグループの送信タイミングタイマーが満了した場合、前記第二のグループのセルに対する上りリンク共用チャネルの割り当て処理を停止することを特徴とする制御方法。
【請求項１１】
基地局装置が複数セルを割り当て、前記基地局装置と前記セルを介して通信を行なう移動局装置に適用される集積回路であって、
前記複数セルは、第一の上りリンク送信タイミングを有する１つ以上のセルから構成され、プライマリーセルを含む第一のグループと、前記第一の上りリンク送信タイミングと異なる第二の上りリンク送信タイミングを有する１つ以上のセカンダリーセルから構成される第二のグループと、にグループ化され、
前記グループ毎に、前記上り送信タイミングの有効期間は、送信タイミング情報を適用した場合にスタートまたはリスタートする送信タイミングタイマーを用いて管理され、
前記第一のグループの送信タイミングタイマーが満了した場合、前記複数のセルに対応する全ての送信ＨＡＲＱバッファのデータを消去する機能と、
前記第二のグループの送信タイミングタイマーが満了した場合、前記第二のグループのセルに対応する送信ＨＡＲＱバッファのデータを消去する機能と、を有することを特徴とする集積回路。
【請求項１２】
移動局装置が複数セルを割り当てられ、前記移動局装置と前記セルを介して通信を行なう基地局装置に適用される集積回路であって、
前記複数セルは、第一の上りリンク送信タイミングを有する１つ以上のセルから構成され、プライマリーセルを含む第一のグループと、前記第一の上りリンク送信タイミングと異なる第二の上りリンク送信タイミングを有する１つ以上のセカンダリーセルから構成される第二のグループと、にグループ化され、
前記グループ毎に、前記上り送信タイミングの有効期間は、送信タイミング情報を適用した場合にスタートまたはリスタートする送信タイミングタイマーを用いて管理され、
前記第一のグループの送信タイミングタイマーが満了した場合、前記複数のセルに対する上りリンク共用チャネルの割り当て処理を停止する機能と、
前記第二のグループの送信タイミングタイマーが満了した場合、前記第二のグループのセルに対する上りリンク共用チャネルの割り当て処理を停止する機能と、を有することを特徴とする集積回路。
【発明の詳細な説明】
【技術分野】
【０００１】
本発明は、基地局装置、移動局装置および無線通信システムに関連し、より詳細には、上りリンクの送信タイミングが無効になった場合の動作における移動局装置、基地局装置、無線通信システム、制御方法及び集積回路に関する。
【背景技術】
【０００２】
３ＧＰＰ（3rd Generation Partnership Project）では、Ｗ−ＣＤＭＡ方式が第三世代セルラー移動通信方式として標準化され、順次サービスが開始されている。また、通信速度を更に上げたＨＳＤＰＡも標準化され、サービスが開始されている。
【０００３】
一方、３ＧＰＰでは、第三世代無線アクセスの進化（Evolved Universal Terrestrial Radio Access；以下、「EUTRA」と呼称する。）の標準化が進められている。ＥＵＴＲＡの下りリンクの通信方式として、マルチパス干渉に強く、高速伝送に適したＯＦＤＭ（Orthogonal Frequency Division Multiplexing）方式を採用している。また、上りリンクの通信方式として、移動局装置のコストと消費電力を考慮し、送信信号のピーク対平均電力比ＰＡＰＲ（Peak to Average Power Ratio）を低減できるシングルキャリア周波数分割多重方式ＳＣ−ＦＤＭＡ（Single Carrier-Frequency Division Multiple Access）のＤＦＴ（Discrete Fourier Transform（離散フーリエ変換））−ｓｐｒｅａｄ  ＯＦＤＭ方式を採用している。
【０００４】
また、３ＧＰＰでは、ＥＵＴＲＡの更なる進化のＡｄｖａｎｃｅｄ−ＥＵＴＲＡの議論も始まっている。Ａｄｖａｎｃｅｄ−ＥＵＴＲＡでは、上りリンクおよび下りリンクでそれぞれ最大１００ＭＨｚ帯域幅までの帯域を使用して、最大で下りリンク１Ｇｂｐｓ以上、上りリンク５００Ｍｂｐｓ以上の伝送レートの通信を行なうことを想定している。
【０００５】
Ａｄｖａｎｃｅｄ−ＥＵＴＲＡでは、ＥＵＴＲＡの移動局装置も収容できるようにＥＵＴＲＡの２０ＭＨｚ以下の帯域を複数個束ねることで、最大で１００ＭＨｚ帯域を実現することを考えている。尚、Ａｄｖａｎｃｅｄ−ＥＵＴＲＡでは、ＥＵＴＲＡの１つの２０ＭＨｚ以下の帯域をコンポーネントキャリア（Component Carrier : CC）と呼んでいる（非特許文献２）。また、１つの下りリンクのコンポーネントキャリアと１つの上りリンクのコンポーネントキャリアを組み合わせて１つのセルを構成する。尚、１つの下りリンクコンポーネントキャリアのみでも１つのセルを構成できる。基地局装置は、移動局装置に複数セルを割り当てて、割り当てたセルを介して移動局装置と通信を行なう。
【先行技術文献】
【非特許文献】
【０００６】
【非特許文献１】3GPP TS(Technical Specification)36.300、V9.40(2010-06)、Evolved Universal Terrestrial Radio Access(E-UTRA) and Evolved Universal Terrestrial Radio Access Network(E-UTRAN)、Overall description Stage2
【非特許文献２】3GPP TR(Technical Specification)36.814、V9.00(2010-03)、Evolved Universal Terrestrial Radio Access(E-UTRA) Further advancements for E-UTRA physical layer aspects
【発明の概要】
【発明が解決しようとする課題】
【０００７】
移動局装置が、複数のセルを使用して基地局装置と通信を行なう場合、リピータ（Ｒｅｐｅａｔｅｒ）などを介して基地局装置へ接続する場合がある。このような場合、移動局装置での下りリンクコンポーネントキャリアからのデータの受信タイミングは、セル毎に異なり、更に各セルの上りリンクコンポーネントキャリア毎に基地局装置への送信タイミングが異なることとなる。その為、移動局装置は、各セルの上りリンクコンポーネントキャリア毎、または、送信タイミングが同じコンポーネントキャリアのグループ毎に送信タイミングの調整を行なって、基地局装置へのデータ送信を行なう必要がある。
【０００８】
また、各セルの上りリンクコンポーネントキャリア毎、または、送信タイミングが同じコンポーネントキャリアのグループ毎に送信タイミングの調整が必要なことから、各セルの上りリンクコンポーネントキャリア毎、または、送信タイミングが同じコンポーネントキャリアのグループ毎に送信タイミングの有効期間を示す送信タイミングタイマーを持つ必要がある。
【０００９】
しかしながら、各セルの上りリンクコンポーネントキャリア毎に送信タイミングの調整を行なう為、セル毎に送信タイミングが更新されたり、送信タイミングが無効になったりする。その為、送信タイミングの更新を行なったり、送信タイミングが無効になった場合の効率的な移動局装置の動作を考える必要がある。
【００１０】
本発明は、このような事情に鑑みてなされたものであり、上りリンクコンポーネントキャリア毎に移動局装置からのデータ送信の送信タイミングが異なる場合について、効率の良い移動局装置の送信制御を可能とする移動局装置、基地局装置、無線通信システム、制御方法及び集積回路を提供することを目的とする。
【課題を解決するための手段】
【００１１】
（１）上記の目的を達成するために、本発明は、以下のような手段を講じた。すなわち、本発明の移動局装置は、基地局装置が複数セルを割り当て、前記基地局装置と前記複数セルを介して通信を行なう移動局装置であって、前記複数セルは、第一の上りリンク送信タイミングを有する１つ以上のセルから構成され、プライマリーセルを含む第一のグループと、前記第一の上りリンク送信タイミングと異なる第二の上りリンク送信タイミングを有する１つ以上のセカンダリーセルから構成される第二のグループと、にグループ化され、前記グループ毎に、前記上り送信タイミングの有効期間は、送信タイミング情報を適用した場合にスタートまたはリスタートする送信タイミングタイマーを用いて管理され、前記第一のグループの送信タイミングタイマーが満了した場合、前記複数のセルに対応する全ての送信ＨＡＲＱバッファのデータを消去し、前記第二のグループの送信タイミングタイマーが満了した場合、前記第二のグループのセルに対応する送信ＨＡＲＱバッファのデータを消去することを特徴とする。
【００１２】
（２）また、本発明の移動局装置は、前記第一のグループの送信タイミングタイマーが満了した場合、前記複数のセルに割り当てられている上りリンク制御チャネルと測定用参照信号の無線リソースとを解放し、前記第二のグループの送信タイミングタイマーが満了した場合、前記第二のグループのセルに割り当てられている測定用参照信号の無線リソースを解放することを特徴とする。
【００１３】
（３）また、本発明の移動局装置は、前記第一のグループの送信タイミングタイマーが停止している場合、前記プライマリーセルに対するランダムアクセスプリアンブル送信を除き、全ての前記複数セルの上りリンク送信を行わず、前記第二のグループの送信タイミングタイマーが停止している場合、前記第二のグループのセルに対するランダムアクセスプリアンブル送信を除き、前記第二のグループのセルの上りリンク送信を行わないことを特徴とする。
【００１４】
（４）また、本発明の移動局装置は、前記第一のグループの送信タイミングタイマーが満了した場合、全ての上りリンク共用チャネル及び下りリンク共用チャネルの割り当て情報を破棄し、前記第二のグループの送信タイミングタイマーが満了した場合、前記第二のグループのセルに割り当てられている上りリンク共用チャネルの割り当て情報を破棄することを特徴とする。
【００１５】
（５）また、本発明の基地局装置は、移動局装置が複数セルを割り当てられ、前記移動局装置と前記セルを介して通信を行なう基地局装置であって、前記複数セルは、第一の上りリンク送信タイミングを有する１つ以上のセルから構成され、プライマリーセルを含む第一のグループと、前記第一の上りリンク送信タイミングと異なる第二の上りリンク送信タイミングを有する１つ以上のセカンダリーセルから構成される第二のグループと、にグループ化され、前記グループ毎に、前記上り送信タイミングの有効期間は、送信タイミング情報を適用した場合にスタートまたはリスタートする送信タイミングタイマーを用いて管理され、前記第一のグループの送信タイミングタイマーが満了した場合、前記複数のセルに対する上りリンク共用チャネルの割り当て処理を停止し、前記第二のグループの送信タイミングタイマーが満了した場合、前記第二のグループのセルに対する上りリンク共用チャネルの割り当て処理を停止することを特徴とする。
【００１６】
（６）また、本発明の基地局装置は、前記第一のグループの送信タイミングタイマーが満了した場合、前記移動局装置に割り当てた前記複数のセルに対応する受信ＨＡＲＱバッファの全データを消去し、前記第二のグループの送信タイミングタイマーが満了した場合、前記第二のグループのセルに対応する受信ＨＡＲＱバッファのデータを消去することを特徴とする。
【００１７】
（７）また、本発明の基地局装置は、前記第一のグループの送信タイミングタイマーが満了した場合、前記移動局装置の前記複数のセルに割り当てた上りリンク制御チャネルと測定用参照信号の無線リソースとを解放し、前記第二のグループの送信タイミングタイマーが満了した場合、前記移動局装置の前記第二のグループのセルに割り当てた測定用参照信号の無線リソースを解放することを特徴とする。
【００１８】
（８）また、本発明の無線通信システムは、基地局装置が複数セルを割り当て、前記基地局装置と前記セルを介して通信を行なう無線通信システムであって、前記複数セルは、第一の上りリンク送信タイミングを有する１つ以上のセルから構成され、プライマリーセルを含む第一のグループと、前記第一の上りリンク送信タイミングと異なる第二の上りリンク送信タイミングを有する１つ以上のセカンダリーセルから構成される第二のグループと、にグループ化され、前記グループ毎に、前記上り送信タイミングの有効期間は、送信タイミング情報を適用した場合にスタートまたはリスタートする送信タイミングタイマーを用いて管理され、前記第一のグループの送信タイミングタイマーが満了した場合、前記基地局装置は、前記複数のセルに対する上りリンク共用チャネルの割り当て処理を停止し、前記移動局装置は、前記複数のセルに対応する全ての送信ＨＡＲＱバッファのデータを消去し、前記第二のグループの送信タイミングタイマーが満了した場合、前記基地局装置は、前記第二のグループのセルに対する上りリンク共用チャネルの割り当て処理を停止し、前記移動局装置は、前記第二のグループのセルに対応する送信ＨＡＲＱバッファのデータを消去することを特徴とする。
【００１９】
（９）また、本発明の制御方法は、基地局装置が複数セルを割り当て、前記基地局装置と前記セルを介して通信を行なう移動局装置の制御方法であって、前記複数セルは、第一の上りリンク送信タイミングを有する１つ以上のセルから構成され、プライマリーセルを含む第一のグループと、前記第一の上りリンク送信タイミングと異なる第二の上りリンク送信タイミングを有する１つ以上のセカンダリーセルから構成される第二のグループと、にグループ化され、前記グループ毎に、前記上り送信タイミングの有効期間は、送信タイミング情報を適用した場合にスタートまたはリスタートする送信タイミングタイマーを用いて管理され、前記第一のグループの送信タイミングタイマーが満了した場合、前記複数のセルに対応する全ての送信ＨＡＲＱバッファのデータを消去し、前記第二のグループの送信タイミングタイマーが満了した場合、前記第二のグループのセルに対応する送信ＨＡＲＱバッファのデータを消去することを特徴とする。
【００２０】
（１０）また、本発明の制御方法は、移動局装置が複数セルを割り当てられ、前記移動局装置と前記セルを介して通信を行なう基地局装置の制御方法であって、前記複数セルは、第一の上りリンク送信タイミングを有する１つ以上のセルから構成され、プライマリーセルを含む第一のグループと、前記第一の上りリンク送信タイミングと異なる第二の上りリンク送信タイミングを有する１つ以上のセカンダリーセルから構成される第二のグループと、にグループ化され、前記グループ毎に、前記上り送信タイミングの有効期間は、送信タイミング情報を適用した場合にスタートまたはリスタートする送信タイミングタイマーを用いて管理され、前記第一のグループの送信タイミングタイマーが満了した場合、前記複数のセルに対する上りリンク共用チャネルの割り当て処理を停止し、前記第二のグループの送信タイミングタイマーが満了した場合、前記第二のグループのセルに対する上りリンク共用チャネルの割り当て処理を停止することを特徴とする。
【００２１】
（１１）また、本発明の集積回路は、基地局装置が複数セルを割り当て、前記基地局装置と前記セルを介して通信を行なう移動局装置に適用される集積回路であって、前記複数セルは、第一の上りリンク送信タイミングを有する１つ以上のセルから構成され、プライマリーセルを含む第一のグループと、前記第一の上りリンク送信タイミングと異なる第二の上りリンク送信タイミングを有する１つ以上のセカンダリーセルから構成される第二のグループと、にグループ化され、前記グループ毎に、前記上り送信タイミングの有効期間は、送信タイミング情報を適用した場合にスタートまたはリスタートする送信タイミングタイマーを用いて管理され、前記第一のグループの送信タイミングタイマーが満了した場合、前記複数のセルに対応する全ての送信ＨＡＲＱバッファのデータを消去する機能と、前記第二のグループの送信タイミングタイマーが満了した場合、前記第二のグループのセルに対応する送信ＨＡＲＱバッファのデータを消去する機能と、を有することを特徴とする。
【００２２】
（１２）また、本発明の集積回路は、移動局装置が複数セルを割り当てられ、前記移動局装置と前記セルを介して通信を行なう基地局装置に適用される集積回路であって、前記複数セルは、第一の上りリンク送信タイミングを有する１つ以上のセルから構成され、プライマリーセルを含む第一のグループと、前記第一の上りリンク送信タイミングと異なる第二の上りリンク送信タイミングを有する１つ以上のセカンダリーセルから構成される第二のグループと、にグループ化され、前記グループ毎に、前記上り送信タイミングの有効期間は、送信タイミング情報を適用した場合にスタートまたはリスタートする送信タイミングタイマーを用いて管理され、前記第一のグループの送信タイミングタイマーが満了した場合、前記複数のセルに対する上りリンク共用チャネルの割り当て処理を停止する機能と、前記第二のグループの送信タイミングタイマーが満了した場合、前記第二のグループのセルに対する上りリンク共用チャネルの割り当て処理を停止する機能と、を有することを特徴とする。
【発明の効果】
【００２３】
本発明によれば、１つの移動局装置に複数のセルが割り当てられ、各セルにおいて上りリンク送信タイミングが異なり、送信タイミングセルグループ毎に送信タイミングタイマーが満了した場合において、送信タイミングタイマーが満了した送信タイミングセルグループに応じて、移動局装置は、各セルの送信処理を停止し、無駄な送信処理動作を行わないようになる。これにより、移動局装置の効率の良い送信制御を可能することができる。
【図面の簡単な説明】
【００２４】
【図１】本発明の実施形態に係る移動局装置の構成を示す図である。
【図２】本発明の実施形態に係る基地局装置の構成を示す図である。
【図３−１】本発明の実施形態に係るセルの構成例を示す図である。
【図３−２】本発明の実施形態に係るセルの構成例を示す図である。
【図４】送信タイミングタイマー満了時の移動局装置の動作例を示すフローチャートである。
【図５】送信タイミングタイマー満了時の基地局装置の動作例を示すフローチャートである。
【図６】ＥＵＴＲＡにおけるチャネル構成を示す図である。
【図７】ＥＵＴＲＡにおける上りリンクの構成を示す図である。
【図８】Contention based Random Accessの手順を示す図である。
【図９】Non-contention based Random Accessの手順を示す図である。
【図１０】送信タイミングの更新手順を示す図である。
【図１１】Ａｄｖａｎｃｅｄ−ＥＵＴＲＡにおける下りリンクのコンポーネントキャリアについての説明図である。
【図１２】Ａｄｖａｎｃｅｄ−ＥＵＴＲＡにおける上りリンクのコンポーネントキャリアについての説明図である。
【図１３】基地局装置と移動局装置がリピータを介して通信する例を示す図である。
【発明を実施するための形態】
【００２５】
ＥＵＴＲＡの下りリンクでは、下りリンク参照信号（Downlink Pilot Signal）、下りリンク同期チャネルＤＳＣＨ（Downlink Synchronization Channel）、下りリンク共用チャネルＰＤＳＣＨ（Physical Downlink Shared Channel）、下りリンク制御チャネルＰＤＣＣＨ（Physical Downlink Control Channel）、報知チャネルＰＢＣＨ（Physical Broadcast Physical Channel）により構成されている。
【００２６】
ＥＵＴＲＡの上りリンクでは、上りリンク参照信号（Uplink Pilot Signal）、ランダムアクセスチャネルＲＡＣＨ（Random Access Channel）、上りリンク共用チャネルＰＵＳＣＨ（Physical Uplink Shared Channel）、上りリンク制御チャネルＰＵＣＣＨ（Physical Uplink Control Channel）により構成されている。また、上りリンク参照信号には、復調用参照信号（Demodulation Reference Signal）と測定用参照信号（Sounding Reference Signal）の2種類の信号がある。
【００２７】
図６は、ＥＵＴＲＡにおけるチャネル構成を示す図であり、図７は、ＥＵＴＲＡにおける上りリンクの構成を示す図である。１ブロックは、１２本のサブキャリアと７つのＯＦＤＭシンボルから構成される。そして、２つのブロックを使用して、１リソースブロック（Resource Block：RB）を構成する。上りリンク共用チャネルＰＵＳＣＨと上りリンク制御チャネルＰＵＣＣＨは、1リソースブロック単位で使用される。ランダムアクセスチャネルＲＡＣＨは、６リソースブロック分を使用して構成される。
【００２８】
上りリンク参照信号は、リソースブロック内の特定のＯＦＤＭシンボルに配置される。上りリンクの各チャネルは、図７のように上りリンク共用チャネルＰＵＳＣＨの領域と上りリンク制御チャネルＰＵＣＣＨの領域とランダムアクセスチャネルＲＡＣＨとが分けられている。上りリンク共用チャネルＰＵＳＣＨと上りリンク制御チャネルＰＵＣＣＨの各領域に関する情報は、基地局装置から報知される。また、基地局装置は、各領域の中から移動局装置個別に上りリンク共用チャネルＰＵＳＣＨと上りリンク制御チャネルＰＵＣＣＨの無線リソースを割り当てる。尚、ランダムアクセスチャネルＲＡＣＨは、一定の周期で配置される。
【００２９】
下りリンク共用チャネルＰＤＳＣＨは、基地局装置から移動局装置へのユーザーデータや制御データの送信に使用される。下りリンク制御チャネルＰＤＣＣＨは、基地局装置から移動局装置への下りリンク共用チャネルＰＤＳＣＨと上りリンク共用チャネルＰＵＳＣＨの無線リソース割り当て情報などの制御情報通知に使用される。下りリンク参照信号は、下りリンク共用チャネルＰＤＳＣＨと下りリンク制御チャネルＰＤＣＣＨを復調するために使用される。下りリンク同期チャネルＤＳＣＨは、移動局装置が下りリンクの同期を取るために使用される。報知チャネルＰＢＣＨは、基地局装置のシステム情報に関する情報を通知するために使用される。
【００３０】
上りリンク共用チャネルＰＵＳＣＨは、移動局装置から基地局装置へのユーザーデータや制御データの送信に使用される。尚、上りリンク共用チャネルＰＵＳＣＨと下りリンク共用チャネルＰＤＳＣＨで送受信されるデータは、ＨＡＲＱ（Hybrid Automatic Repeat reQuset）処理が行われ、再送時に初送データと再送データを合成処理することで再送時のデータの誤り訂正能力を向上させている。上りリンク制御チャネルＰＵＣＣＨは、基地局装置からの下りリンクのデータに対する応答（Ack(Acknowledge)/Nack(Negative acknowledge)）や下りリンクの無線伝搬路品質情報などの制御情報を通知する為に使用される。
【００３１】
ランダムアクセスチャネルＲＡＣＨは、主に移動局装置から基地局装置への送信タイミング情報を取得するためのランダムアクセスプリアンブル送信に使用される。ランダムアクセスプリアンブル送信はランダムアクセス手順の中で行なわれる。上りリンク参照信号の復調用参照信号は、基地局装置が上りリンク共用チャネルＰＵＳＣＨを復調するために使用され、上りリンク共用チャネルＰＵＳＣＨの４番目のシンボル位置と１１番目のシンボル位置に挿入される。上りリンク参照信号の測定用参照信号は、基地局装置が上りリンクの無線伝搬路品質を測定するために使用され、上りリンク共用チャネルＰＵＳＣＨの１４番目のシンボル位置に挿入される。尚、測定用参照信号を送信するための無線リソースは、基地局装置から移動局装置個別に割り当てられる。
【００３２】
ランダムアクセス手順には、Contention based Random Access（競合ベースランダムアクセス）とNon-contention based Random Access（非競合ベースランダムアクセス）の２つのアクセス手順がある（非特許文献１）。
【００３３】
図８は、Contention based Random Accessの手順を示す図である。Contention based Random Accessは、移動局装置間で衝突する可能性のあるランダムアクセスであり、Contention based Random Accessは、基地局装置と接続（通信）していない状態からの初期アクセス時や基地局装置と接続中であるが、上りリンク同期が外れている状態で移動局装置に上りリンクデータ送信が発生した場合のスケジューリングリクエストなどに行われる。
【００３４】
図９は、Non-contention based Random Accessの手順を示す図である。Non-contention based Random Accessは、移動局装置間で衝突が発生しないランダムアクセスであり、基地局装置と移動局装置が接続中であるが、上りリンクの同期が外れている場合に迅速に移動局装置と基地局装置との間の上りリンク同期をとるためにハンドオーバーや移動局装置の送信タイミングが有効でない場合等の特別な場合に基地局装置から指示されて移動局装置がランダムアクセスを開始する（非特許文献１）。Non-contention based Random Accessは、ＲＲＣ（Ｒａｄｉｏ  Ｒｅｓｏｕｒｃｅ  Ｃｏｎｔｒｏｌ：Ｌａｙｅｒ３）層のメッセージ及び下りリンク制御チャネルＰＤＣＣＨの制御データにより指示される。
【００３５】
図８を用いて、Contention based Random Access手順を簡単に説明する。まず、移動局装置１−１がランダムアクセスプリアンブルを基地局装置３に送信する（メッセージ１：（１）、ステップＳ１）。そして、ランダムアクセスプリアンブルを受信した基地局装置３が、ランダムアクセスプリアンブルに対する応答（ランダムアクセスレスポンス）を移動局装置１−１に送信する（メッセージ２：（２）、ステップＳ２）。移動局装置１−１がランダムアクセスレスポンスに含まれているスケジューリング情報を元に上位レイヤ（Layer2/Layer3）のメッセージを送信する（メッセージ３：（３）、ステップＳ３）。基地局装置３は、（３）の上位レイヤメッセージを受信できた移動局装置１−１に衝突確認メッセージを送信する（メッセージ４：（４）、ステップＳ４）。尚、Contention based Random Accessをランダムプリアンブル送信とも言う。
【００３６】
図９を用いて、Non-contention based Random Access手順を簡単に説明する。まず、基地局装置３は、プリアンブル番号（または、シーケンス番号）と使用するランダムアクセスチャネル番号を移動局装置１−１に通知する（メッセージ０：（１）’、ステップＳ１１）。移動局装置１−１は、指定されたプリアンブル番号のランダムアクセスプリアンブルを指定されたランダムアクセスチャネルＲＡＣＨに送信する（メッセージ１：（２）’、ステップＳ１２）。そして、ランダムアクセスプリアンブルを受信した基地局装置３が、ランダムアクセスプリアンブルに対する応答（ランダムアクセスレスポンス）を移動局装置１−１に送信する（メッセージ２：（３）’、ステップＳ１３）。ただし、通知されたプリアンブル番号の値が０の場合は、Contention based Random Accessを行なう。尚、Non-contention based Random Accessを専用プリアンブル送信とも言う。
【００３７】
図８及び図１０を用いて、移動局装置１−１が基地局装置３への接続手順を説明する。まず、移動局装置１−１は、報知チャネルＰＢＣＨ等から基地局装置３のシステム情報を取得し、システム情報に含まれているランダムアクセス関連情報からランダムアクセス手順を実行し基地局装置３との接続を行なう。移動局装置１−１は、システム情報のランダムアクセス関連情報等からランダムアクセスプリアンブルを生成する。そして、移動局装置１−１は、ランダムアクセスチャネルＲＡＣＨでランダムアクセスプリアンブルを送信する（メッセージ１：（１））。
【００３８】
基地局装置３は、移動局装置１−１からのランダムアクセスプリアンブルを検出すると、ランダムアクセスプリアンブルから移動局装置１−１と基地局装置３との間の送信タイミングのずれ量を算出し、Ｌａｙｅｒ２（Ｌ２）／Ｌａｙｅｒ３（Ｌ３）メッセージを送信するためスケジューリング（上りリンク無線リソース位置（上りリンク共用チャネルＰＵＳＣＨの位置）、送信フォーマット（メッセージサイズ）などの指定）を行ない、Ｔｅｍｐｏｒａｒｙ  Ｃ−ＲＮＴＩ（Cell-Radio Network Temporary Identity：移動局装置識別情報）を割り当て、下りリンク制御チャネルＰＤＣＣＨにランダムアクセスチャネルＲＡＣＨのランダムアクセスプリアンブルを送信した移動局装置１−１宛の応答（ランダムアクセスレスポンス）を示すＲＡ−ＲＮＴＩ（Random Access-Radio Network Temporary Identity：ランダムアクセスレスポンス識別情報）を配置し、下りリンク共用チャネルＰＤＳＣＨに送信タイミング情報、スケジューリング情報、Ｔｅｍｐｏｒａｒｙ  Ｃ−ＲＮＴＩおよび受信したランダムアクセスプリアンブルの情報を含んだランダムアクセスレスポンスメッセージを送信する（メッセージ２：（２））。
【００３９】
移動局装置１−１は、下りリンク制御チャネルＰＤＣＣＨにＲＡ−ＲＮＴＩがあることを検出すると、下りリンク共用チャネルＰＤＳＣＨに配置されたランダムアクセスレスポンスメッセージの中身を確認し、送信したランダムアクセスプリアンブルの情報が含まれている場合、送信タイミング情報から上りリンクの送信タイミングを調整し、スケジューリングされた無線リソースと送信フォーマットでＣ−ＲＮＴＩ（またはTemporary C-RNTI）または、ＩＭＳＩ（International Mobile Subscriber Identity）等の移動局装置１−１を識別する情報を含むＬ２／Ｌ３メッセージを送信する（メッセージ３：（３））。移動局装置１−１は、送信タイミングを調整した場合に、調整した送信タイミングが有効である送信タイミングタイマーをスタートする。尚、この送信タイミングタイマーが満了すると調整した送信タイミングは無効となる。送信タイミングが有効の間、移動局装置１−１は、基地局装置へのデータ送信が可能であり、送信タイミングが無効の場合、ランダムアクセスプリアンブルの送信のみ可能である。また、送信タイミングが有効な期間を上りリンク同期状態と言い、送信タイミングが有効でない期間を上りリンク非同期状態とも言う。
【００４０】
基地局装置３は、移動局装置１−１からのＬ２／Ｌ３メッセージを受信すると、受信したＬ２／Ｌ３メッセージに含まれるＣ−ＲＮＴＩ（またはTemporary C-RNTI）またはＩＭＳＩを使用して移動局装置１−１〜１−３間で衝突が起こっているかどうか判断するための衝突確認（コンテンションレゾリューション）メッセージを移動局装置１−１に送信する（メッセージ４：（４））。
【００４１】
尚、移動局装置１−１は、一定期間内に送信したランダムアクセスプリアンブルに対応するプリアンブル番号を含むランダムアクセスレスポンスメッセージを検出しなかった場合、メッセージ３の送信に失敗した場合、または、一定期間内に衝突確認メッセージに自移動局装置１−１の識別情報を検出しなかった場合、ランダムアクセスプリアンブルの送信（メッセージ１：（１））からやり直す。そして、ランダムアクセスプリアンブルの送信回数がシステム情報で示されたランダムアクセスプリアンブルの最大送信回数を越えた場合、移動局装置１−１は、ランダムアクセス失敗と判断し、基地局装置３との通信を切断する。尚、ランダムアクセス手順成功後は、更に基地局装置３と移動局装置１−１との間で接続の為の制御データのやり取りがされる。この時、基地局装置３は、個別に割り当てる上りリンク参照信号や上りリンク制御チャネルＰＵＣＣＨの割り当て情報を移動局装置１−１に通知する。
【００４２】
ランダムアクセス手順完了以降の上りリンクの送信タイミングの更新は、図１０に示すように基地局装置３が移動局装置１−１から送信される上りリンク参照信号（測定用参照信号、または、復調用参照信号）を測定して、送信タイミング情報を算出し、算出した送信タイミング情報を移動局装置１−１に通知することで行なわれる。移動局装置１−１は、基地局装置３から通知された送信タイミング情報を更新すると送信タイミングタイマーをリスタート（restart）する。尚、基地局装置３も移動局装置１−１と同じ送信タイミングタイマーを保持しており、送信タイミング情報を送信した場合に送信タイミングタイマーをスタート、または、リスタートする。このようにすることで、基地局装置３と移動局装置１−１で上りリンク同期状態を管理する。送信タイミングタイマーが満了すると送信タイミングは無効となり、ランダムアクセスプリアンブルの送信以外の上りリンク送信を停止する。
【００４３】
また、３ＧＰＰでは、ＥＵＴＲＡの更なる進化のＡｄｖａｎｃｅｄ−ＥＵＴＲＡの議論も始まっている。Ａｄｖａｎｃｅｄ−ＥＵＴＲＡでは、上りリンクおよび下りリンクでそれぞれ最大１００ＭＨｚ帯域幅までの帯域を使用して、最大で下りリンク１Ｇｂｐｓ以上、上りリンク５００Ｍｂｐｓ以上の伝送レートの通信を行なうことを想定している。
【００４４】
図１１は、Ａｄｖａｎｃｅｄ−ＥＵＴＲＡにおける下りリンクのコンポーネントキャリアについての説明図である。図１２は、Ａｄｖａｎｃｅｄ−ＥＵＴＲＡにおける上りリンクのコンポーネントキャリアについての説明図である。
【００４５】
Ａｄｖａｎｃｅｄ−ＥＵＴＲＡでは、ＥＵＴＲＡの移動局装置も収容できるようにＥＵＴＲＡの２０ＭＨｚ以下の帯域を複数個束ねることで、最大で１００ＭＨｚ帯域を実現することを考えている。尚、Ａｄｖａｎｃｅｄ−ＥＵＴＲＡでは、ＥＵＴＲＡの１つの２０ＭＨｚ以下の帯域をコンポーネントキャリア（Component Carrier : CC）と呼んでいる（非特許文献２）。また、１つの下りリンクのコンポーネントキャリアと１つの上りリンクのコンポーネントキャリアを組み合わせて１つのセルを構成する。尚、１つの下りリンクコンポーネントキャリアのみでも１つのセルを構成できる。
【００４６】
また、Ａｄｖａｎｃｅｄ−ＥＵＴＲＡでは、複数セルを用いて通信を行なうことから、基地局装置及び移動局装置の負荷をできる限り削減するために、複数セルの中の１つのセルを第一セル（Primary Cell）とそれ以外のセルを第二セル（Secondary Cell）としている。そして、第一セルとなるセルに対して、上りリンク制御チャネルＰＵＣＣＨを割り当てたり、ランダムアクセスの許可など、第一セルに特別な機能を設定している。
【００４７】
基地局装置は、複数あるセルの中から移動局装置の通信能力や通信条件にあった１つ以上のセルを割り当てる。移動局装置は、割り当てられた１つ以上のセルを介して基地局装置とデータの送受信を行なう。移動局装置が、複数のセルを使用して基地局装置と通信を行なう場合、図１３のようにリピータ（Ｒｅｐｅａｔｅｒ）などを介して基地局装置へ接続する場合がある。このような場合、移動局装置での下りリンクコンポーネントキャリアの受信タイミングと、上りリンクコンポーネントキャリア毎の基地局装置への送信タイミングの両方または一方がセル毎に異なることとなる。特に、上りリンクコンポーネントキャリア毎の基地局装置への送信タイミングが異なる場合、移動局装置は各セルの上りリンクコンポーネントキャリア毎に送信タイミングの調整を行なって、基地局装置へのデータ送信を行なう必要がある。
【００４８】
[構成説明]
図１は、本発明の実施形態に係る移動局装置の構成を示す図である。移動局装置１−１〜１−３は、無線部１０１、送信処理部１０３、変調部１０５、送信ＨＡＲＱ処理部１０７、送信ＨＡＲＱ記憶部１０９、上りリンク参照信号生成部１１１、ランダムアクセスプリアンブル生成部１１３、受信処理部１１５、復調部１１７、受信ＨＡＲＱ処理部１１９、受信ＨＡＲＱ記憶部１２１、制御部１２３、移動局管理部１２５から構成される。移動局管理部１２５は、ＵＬスケジューリング部１２７、制御データ作成部１２９、制御データ解析部１３１、セル管理部１３３、ＴＡＴ管理部１３５から構成される。
【００４９】
ユーザーデータや制御データは、送信ＨＡＲＱ処理部１０７に入力される。送信ＨＡＲＱ処理部１０７は、制御部１２３の指示により、入力データに符号化を行い、符号化したデータにパンクチャ処理を行う。そして、送信ＨＡＲＱ処理部１０７は、パンクチャしたデータを変調部１０５に出力し、符号化したデータを送信ＨＡＲＱ記憶部１０９に出力する。また、送信ＨＡＲＱ処理部１０７は、制御部１２３より、データの再送を指示された場合、送信ＨＡＲＱ記憶部から符号化したデータを取得し、前回に行なったパンクチャと異なるパンクチャ処理を行い、パンクチャしたデータを変調部１０５に出力する。送信ＨＡＲＱ記憶部１０９は、送信ＨＡＲＱ処理部１０７からの入力されるデータを保存し、送信ＨＡＲＱ処理部１０７からの指示により送信ＨＡＲＱ処理部１０７に保存したデータを出力する。また、送信ＨＡＲＱ記憶部１０９は、制御部１２３からの指示により、保存してあるデータを消去する。
【００５０】
変調部１０５は、送信ＨＡＲＱ処理部１０７からの入力データに変調を行ない、送信処理部１０３に出力する。送信処理部１０３は、制御部１２３の指示により、変調部１０５や上りリンク参照信号生成部１１１やランダムアクセスプリアンブル生成部１１３からの入力データ（または入力信号）を各セルの上りリンクコンポーネントキャリアの各チャネルにマッピングし、マッピングしたデータを直列／並列変換、ＤＦＴ−ＩＦＦＴ（Inverse Fast Fourier Transform（逆高速フーリエ変換））変換、ＣＰ挿入などのＯＦＤＭ信号処理を行い、ＯＦＤＭ信号を生成する。また、送信処理部１０３は、制御部１２３から渡される送信タイミング情報から各セルの上りリンクコンポーネントキャリア毎に出力される信号の送信タイミングを調整し、送信タイミングの調整後、ＯＦＤＭ信号を無線部１０１に出力する。
【００５１】
上りリンク参照信号生成部１１１は、制御部１２３の指示により、移動局管理部１２５から取得した上りリンク参照信号生成情報から上りリンク参照信号を生成し、生成した上りリンク参照信号を送信処理部１０３に出力する。ランダムアクセスプリアンブル生成部１１３は、制御部１２３の指示により、移動局管理部１２５から取得したランダムアクセスに関する情報からランダムアクセスプリアンブルを生成し、生成したランダムアクセスプリアンブルを送信処理部１０３に出力する。
【００５２】
無線部１０１は、制御部１２３からの指示により送信処理部１０３からの入力信号を無線周波数にアップコンバートし、送信アンテナから送信する。また、無線部１０１は、アンテナより受信した無線信号をダウンコンバートし、受信処理信部１１５に出力する。受信処理部１１５は、無線部１０１からの入力信号をＦＦＴ（Fast Fourier Transform（高速フーリエ変換））処理を行ない、復調部１１７に出力する。復調部１１７は、入力データの復調処理を行い、復調したデータを受信ＨＡＲＱ処理部１１９に出力する。
【００５３】
受信ＨＡＲＱ処理部１１９は、入力データの復号処理を行い、復号処理に成功した場合、制御データを移動局管理部１２５に出力し、ユーサーデータを上位層に出力する。受信ＨＡＲＱ処理部１１９は、入力データの復号処理に失敗した場合、復号処理に失敗したデータを受信ＨＡＲＱ記憶部１２１に出力する。受信ＨＡＲＱ処理部１１９は、再送データを受信した場合、受信ＨＡＲＱ記憶部１２１に保存してあるデータと再送データを合成し、復号処理を行う。また、受信ＨＡＲＱ処理部１１９は、入力データの復号処理の成否を移動局管理部１２５に通知する。受信ＨＡＲＱ記憶部１２１は、受信ＨＡＲＱ処理部１１９から入力データを保存し、受信ＨＡＲＱ処理部１１９からの指示により受信ＨＡＲＱ処理部１１９に保存したデータを出力する。また、受信ＨＡＲＱ記憶部１２１は、制御部１２３からの指示により、保存してあるデータを消去する。
【００５４】
制御部１２３は、移動局管理部１２５からの指示に基づいて、無線部１０１、送信処理部１０３、変調部１０５、送信ＨＡＲＱ処理部１０７、送信ＨＡＲＱ記憶部１０９、上りリンク参照信号生成部１１１、ランダムアクセスプリアンブル生成部１１３、受信処理部１１５、復調部１１７、受信ＨＡＲＱ処理部１１９、受信ＨＡＲＱ記憶部１２１の制御を行う。
【００５５】
移動局管理部１２５は、ＵＬスケジューリング部１２７、制御データ作成部１２９、制御データ解析部１３１、セル管理部１３３、ＴＡＴ管理部１３５から構成される。制御データ作成部１２９は、受信ＨＡＲＱ処理部１１９からの受信データの復号結果からデータのAｃｋ／Ｎａｃｋメッセージを作成し、また、下りリンクの無線品質を示すメッセージなどの制御データを作成し、作成した制御データを送信ＨＡＲＱ処理部１０７に出力する。制御データ解析部１３１は、受信ＨＡＲＱ処理部１１９から入力された制御データを解析する。制御データ解析部１３１は、基地局装置３から受信したセルのシステム情報やセルの割り当て情報やランダムアクセスレスポンスメッセージや上りリンク参照信号の生成情報をセル管理部１３３に出力し、送信タイミング情報や送信タイミングタイマー情報をＴＡＴ管理部１３５に出力する。
【００５６】
ＵＬスケジューリング部１２７は、基地局装置３からの上りリンクデータのスケジューリング情報や送信した上りリンクデータの応答（ＡＣＫ／ＮＡＣＫ）をもとに制御部１２３を介して送信処理部１０３、変調部１０５、送信ＨＡＲＱ処理部１０７を制御する。また、上位層からの制御情報をもとにセル管理部１２５にランダムアクセスを指示する。
【００５７】
セル管理部１３３は、基地局装置３から割り当てられたセルを管理し、基地局装置３から受信したセル毎の物理チャネルの構成や送信電力情報やランダムアクセスに関する情報、上りリンク参照信号の生成情報などの各セルのシステム情報や上りリンク参照信号（測定用参照信号）の無線リソースや上りリンク制御チャネルＰＵＣＣＨの無線リソースなどの移動局装置１−１に個別に割り当てられた無線リソースを管理する。セル管理部１３３は、制御部１２３を介してランダムアクセスに関する情報をランダムアクセスプリアンブル生成部１１３に通知し、上りリンク参照信号の生成情報を上りリンク参照信号生成部１１１に通知する。セル管理部１３３は、通信の開始時や上りリンクデータのスケジュール要求を行なう場合、基地局装置３にランダムアクセスプリアンブルを送信するように、制御部１２３を介してランダムアクセスプリアンブル生成部１１３に指示する。
【００５８】
セル管理部１３３は、ＴＡＴ管理部１３５から送信タイミングタイマーが満了したことが通知された場合、制御部１２３を介して、送信ＨＡＲＱ処理部１０７に送信タイミングが満了したセルのＨＡＲＱ処理停止を指示し、送信ＨＡＲＱ記憶部１０９に送信タイミングが満了したセルの保存してあるデータの消去を指示し、上りリンク参照信号生成部１１１に送信タイミングが満了したセルの上りリンク参照信号の生成を停止するように指示する。また、セル管理部１３３は、送信タイミングが満了したセルの基地局装置３から割り当てられた上りリンク制御チャネルＰＵＣＣＨの無線リソースと上りリンク参照信号（測定用参照信号）の無線リソースを解放する。
【００５９】
ＴＡＴ管理部１３５は、セル毎の送信タイミングと送信タイミングタイマーを管理する。また、ＴＡＴ管理部１３５は、送信タイミングが同じとなるセル関係情報も管理する。ＴＡＴ管理部１３５は、送信タイミング情報を取得した場合、制御部１２３を介して、取得したセルの送信タイミング情報と送信タイミングを更新するセル情報を送信処理部１０３に通知し、送信タイミングタイマーをスタート、または、リスタートする。そして、ＴＡＴ管理部１３５は、セル管理部１３３にセル毎に送信タイミングタイマーがスタート、または、リスタートしたことを通知する。また、ＴＡＴ管理部１３５は、セル毎に送信タイミングタイマーが満了した場合、セル管理部１３３に対象となるセルの送信タイミングタイマーが満了したことを通知する。
【００６０】
図２は、本発明の実施形態に係る基地局装置３の構成図を示す。基地局装置３は、無線部２０１、送信処理部２０３、変調部２０５、送信ＨＡＲＱ処理部２０７、送信ＨＡＲＱ記憶部２０９、下りリンク参照信号生成部２１１、プリアンブル検出部２１３、受信処理部２１５、復調部２１７、受信ＨＡＲＱ処理部２１９、受信ＨＡＲＱ記憶部２２１、制御部２２３、基地局管理部２２５から構成される。基地局管理部２２５は、ＤＬ／ＵＬスケジュール部２２７、制御データ作成部２２９、制御データ解析部２３１、セル管理部２３３、ＴＡＴ管理部２３５から構成される。
【００６１】
ユーザーデータと制御データは、送信ＨＡＲＱ処理部２０７に入力される。送信ＨＡＲＱ処理部２０７は、制御部２２３の指示により、入力データに符号化を行い、符号化したデータにパンクチャ処理を行う。そして、送信ＨＡＲＱ処理部２０７は、パンクチャしたデータを変調部２０５に出力し、符号化したデータを送信ＨＡＲＱ記憶部２０９に出力する。送信ＨＡＲＱ処理部２０７は、制御部２２３より、データの再送を指示された場合、送信ＨＡＲＱ記憶部から符号化したデータを取得し、前回に行なったパンクチャと異なるパンクチャ処理を行い、パンクチャしたデータを変調部２０５に出力する。送信ＨＡＲＱ記憶部２０９は、送信ＨＡＲＱ処理２０７からの入力データを保存し、送信ＨＡＲＱ処理２０７からの指示により送信ＨＡＲＱ処理部２０７に保存したデータを出力する。また、送信ＨＡＲＱ記憶部２０９は、制御部２２３からの指示により、保存してあるデータを消去する。
【００６２】
変調部２０５は、送信ＨＡＲＱ処理部２０７からの入力データに変調を行ない、送信処理部２０３に出力する。送信処理部２０３は、制御部２２３の指示により、変調部２０５や下りリンク参照信号生成部２１１からの入力データ（または信号）を各セルの下りリンクコンポーネントキャリアの下りリンク制御チャネルＰＤＣＣＨ、下りリンク同期チャネルＤＳＣＨ、報知チャネルＰＢＣＨ、下りリンク共用チャネルＰＤＳＣＨなどの各チャネルにマッピングし、マッピングしたデータを直列／並列変換、ＩＦＦＴ（Inverse Fast Fourier Transform（逆高速フーリエ変換））変換、ＣＰ挿入などのＯＦＤＭ信号処理を行い、ＯＦＤＭ信号を生成する。そして、送信処理部２０３は、生成したＯＦＤＭ信号を無線部２０１に出力する。
【００６３】
無線部２０１は、制御部２２３からの指示により送信処理部２０３からの入力信号を無線周波数にアップコンバートして、送信アンテナから移動局装置１−１〜１−３に送信する。また、無線部２０１は、アンテナより移動局装置１−１からの無線信号を受信し、受信信号をベースバンド信号にダウンコンバートして、受信信号を受信処理部２１５、または、プリアンブル検出部２１３に出力する。受信処理部２１５は、無線部２０１からの入力信号にＦＦＴ（Fast Fourier Transform（高速フーリエ変換））処理を行い、復調部２１７に出力する。また、受信処理部２１５は、上りリンク参照信号（測定用参照信号）から無線伝搬路品質や送信タイミングのずれ量を測定し、測定結果を基地局管理部２２５に渡す。尚、上りリンクの通信方式は、ＤＦＴ−ｓｐｒｅａｄ  ＯＦＤＭ等のようなシングルキャリア方式を想定しているが、ＯＦＤＭ方式のようなマルチキャリア方式でもかまわない。復調部２１７は、入力データの復調処理を行い、復調したデータを受信ＨＡＲＱ処理部２１９に出力する。
【００６４】
受信ＨＡＲＱ処理部２１９は、入力データの復号処理を行い、復号処理に成功した場合、制御データを基地局管理部２２５に出力し、ユーサーデータを上位層に出力する。受信ＨＡＲＱ処理部２１９は、入力データの復号処理に失敗した場合、復号処理に失敗したデータを受信ＨＡＲＱ記憶部２２１に出力する。受信ＨＡＲＱ処理部２１９は、再送データを受信した場合、受信ＨＡＲＱ記憶部２２１に保存してあるデータと再送データを合成し、復号処理を行う。また、受信ＨＡＲＱ処理部２１９は、入力データの復号処理の成否を基地局管理部２２５に通知する。受信ＨＡＲＱ記憶部２２１は、受信ＨＡＲＱ記憶部から入力データを保存し、受信ＨＡＲＱ処理２１９からの指示により受信ＨＡＲＱ処理部２１９に保存したデータを出力する。また、受信ＨＡＲＱ記憶部２２１は、制御部２２３からの指示により、保存してあるデータを消去する。
【００６５】
プリアンブル検出部２１３は、無線部２０１から入力信号に対して、相関処理を行い、ランダムアクセスプリアンブルの検出処理を行う。ランダムアクセスプリアンブルを検出した場合、検出したランダムアクセスプリアンブルから送信タイミングずれ量を算出し、ランダムアクセスプリアンブルを検出したセルと検出したプリアンブルの情報と送信タイミングずれ量を基地局管理部２２５に通知する。制御部２２３は、基地局管理部２２５からの指示に基づいて、無線部２０１、送信処理部２０３、変調部２０５、送信ＨＡＲＱ処理部２０７、送信ＨＡＲＱ記憶部２０９、下りリンク参照信号生成部２１１、受信処理部２１５、復調部２１７、受信ＨＡＲＱ処理部２１９、受信ＨＡＲＱ記憶部２２１の制御を行う。
【００６６】
基地局管理部２２５は、下りリンク及び上りリンクのスケジュールを行なうＤＬ／ＵＬスケジュール部２２７、制御データ作成部２２９、制御データ解析部２３１、セル管理部２３３、ＴＡＴ管理部２３５から構成される。ＤＬ／ＵＬスケジュール部２２７は、移動局装置１−１から通知される下りリンクの無線伝搬路品質情報や上位層からの通知される各ユーザーのデータ情報や制御データ作成部２２９で作成される制御データから下りリンクの各チャネルにユーザーデータおよび制御データをマッピングする為のスケジュールを行ない、スケジュール結果を制御部２２３に渡す。また、ＤＬ／ＵＬスケジュール部２２７は、受信処理部２１５からの上りリンクの無線伝搬路品質結果と移動局装置１−１からの無線リソース割り当て要求から上りリンクの各チャネルにユーザーデータをマッピングする為のスケジュールを行なう。また、ＤＬ／ＵＬスケジュール部２２７は、プリアンブル検出部２１３からランダムアクセスプリアンブルを検出したことが通知された場合、上りリンク共用チャネルＰＵＳＣＨを割り当てて、割り当てた上りリンク共用チャネルＰＵＳＣＨとプリアンブル番号を制御データ作成部２２９に通知する。ＤＬ／ＵＬスケジュール部２２７は、ＴＡＴ管理部２３７から送信タイミング情報を通知された場合、移動局装置１−１の下りリンク及び上りリンクのスケジュール状況から移動局装置１−１に送信タイミング情報を通知するかどうか判定し、送信タイミング情報を通知する場合、ＴＡＴ管理部２３５に送信タイミング情報の通知を報告し、送信タイミング情報を制御データ作成部２３１に通知する。
【００６７】
制御データ作成部２２９は、下りリンク制御チャネルＰＤＣＣＨに配置される制御データや下りリンク共用チャネルＰＤＳＣＨに配置される制御データを作成する。スケジュール情報を含んだ制御メッセージ、上りリンクデータの応答（ＡＣＫ／ＮＡＣＫ）、物理チャネルの構成情報や各チャネルの送信電力情報やランダムアクセスに関する情報などを含むシステム情報メッセージ、利用するセルの設定情報（ランダムアクセスに関する情報を含む）を含んだ初期設定メッセージ、プリアンブル番号や送信タイミング情報やスケジューリング情報を含んだランダムアクセスレスポンスメッセージ、コンテンションレゾリューションメッセージ、送信タイミング情報を含んだ送信タイミングメッセージなどの制御データを作成する。制御データ解析部２３１は、移動局装置１−１からの下りリンクデータの応答（Ａｃｋ／Ｎａｃｋ）結果により、制御部２２３を介して、送信ＨＡＲＱ処理部２０７を制御する。
【００６８】
セル管理部２３３は、各セルや各セルのシステム情報（物理チャネルの構成情報や各チャネルの送信電力情報やランダムアクセスに関する情報や送信タイミングのセル関係情報など）を管理する。また、セル管理部２３３は、移動局装置１−１〜１−３に１つ以上のセルを割り当てて、また、上りリンク参照信号（測定用参照信号）の無線リソースや上りリンク制御チャネルＰＵＣＣＨの無線リソースを割り当てる。そして、セル管理部２３３は、割り当てたセルに関する情報を通知するように制御データ作成部２２９にセルの割り当て情報やセルのシステム情報、割り当てる無線リソース情報などを渡す。
【００６９】
セル管理部２３３は、ＴＡＴ管理部２３５から送信タイミングタイマーが満了したことが通知された場合、制御部２２３を介して、送信ＨＡＲＱ処理部２０７に送信タイミングが満了したセルのＨＡＲＱ処理停止を指示し、送信ＨＡＲＱ記憶部２０９に送信タイミングが満了したセルの保存してあるデータの消去を指示し、移動局装置１−１に割り当てた上りリンク参照信号（測定用参照信号）の無線リソース及び上りリンク制御チャネルＰＵＣＣＨの無線リソースを解放する。
【００７０】
ＴＡＴ管理部２３５は、移動局装置１−１〜１−３のセル毎の送信タイミングと送信タイミングタイマーを管理する。また、ＴＡＴ管理部２３５は、送信タイミングが同じとなるセル関係情報も管理する。ＴＡＴ管理部２３５は、プリアンブル検出部２１３や受信処理部２１５から送信タイミングのずれ量を取得した場合、送信タイミング情報を作成し、ＤＬ／ＵＬスケジュール部２２７に通知する。セル管理部２３３から送信タイミング情報の送信を通知されると送信タイミングタイマーをスタート、または、リスタートする。また、ＴＡＴ管理部２３５は、セル毎に送信タイミングタイマーが満了した場合、セル管理部２３３に対象となるセルの送信タイミングタイマーが満了したことを通知する。
【００７１】
[動作説明]
図１１、図１２で説明した基地局装置が移動局装置に複数セルを割り当て、割り当てた複数のセルを介して基地局装置と移動局装置が通信を行なう無線通信システムを想定している。また、図１３で説明した移動局装置からの送信タイミングが異なる複数のセルを介して通信を行なうような無線通信システムを想定している。
【００７２】
Ａｄｖａｎｃｅｄ−ＥＵＴＲＡでは、基地局装置は、複数あるセルの中から移動局装置の通信能力や通信条件にあった１つ以上の異なる周波数のセルを周波数毎に割り当てる。そして、移動局装置は、割り当てられたセルを介して基地局装置とデータの送受信を行なう。移動局装置が、複数のセルを使用して基地局装置と通信を行なう場合、図１３のようにリピータ（Ｒｅｐｅａｔｅｒ）などを介して基地局装置へ接続する場合がある。このような場合、移動局装置での下りリンクコンポーネントキャリアからのデータの受信タイミングは、セル毎に異なる場合がある。更に各セルの上りリンクコンポーネントキャリア毎に基地局装置への送信タイミングが異なる場合がある。上りリンクコンポーネントキャリア毎に基地局装置への送信タイミングが異なる場合、移動局装置は、各セルの上りリンクコンポーネントキャリア毎に送信タイミングの調整が必要ということになっている。
【００７３】
しかしながら、各セルの上りリンクコンポーネントキャリア毎に送信タイミングの調整を行なう為、セル毎に送信タイミングが更新されたり、送信タイミングが無効になったりする。その為、送信タイミングの更新を効率的に行なったり、送信タイミングが無効になった場合の効率の良い移動局の動作を考える必要がある。
【００７４】
基地局装置は、移動局装置からの送信タイミングが同じとなるセルをグループ化（以降は、グループ化したセルを送信タイミングセルグループと示す。）する。そして、基地局装置は、１つのセルを第一セルに設定し、それ以外のセルを第二セルに設定し、更に送信タイミングセルグループの中で１つのセルに対して、送信タイミングセルグループ毎に１つのセルに対してランダムアクセスを許可するようにして、送信タイミング情報も送信タイミングセルグループの中の１つのセルに対して送信するようにする。また、送信タイミングタイマーを送信タイミングセルグループ毎に１つ持つようして、送信タイミングを管理する。このようにすることで、送信タイミングと送信タイミングタイマーを効率良く管理できる。また、第一セルを含むセルグループで構成される送信タイミングセルグループの送信タイミングタイマーが満了した場合、全セルに対して上りリンク送信処理を停止し、第二セルのみで構成される送信タイミングセルグループの送信タイミングタイマーが満了した場合、送信タイミングタイマーが満了した送信タイミングセルグループのセルに対して上りリンク送信処理を停止するようにする。
【００７５】
尚、第二セルのみで構成される送信タイミングセルグループの送信タイミングタイマーが満了した場合、送信タイミングタイマーが満了した送信タイミングセルグループとは異なる送信タイミングセルグループ（例えば、第一のセルを含む送信タイミングセルグループ）のセルに対しては上りリンク送信処理を停止することはしない。第一セルを含むセルグループで構成される送信タイミングセルグループ（説明の便宜上、第一送信タイミングセルグループと適宜称す）では、第一送信タイミングセルグループの送信タイミングタイマーが満了した場合のみ、第一送信タイミングセルグループのセルに対して上りリンク送信処理を停止し、第二セルを含むセルグループで構成される送信タイミングセルグループ（説明の便宜上、第二送信タイミングセルグループと適宜称す）の送信タイミングタイマーが満了した場合は、第一送信タイミングセルグループのセルに対して上りリンク送信処理を停止することはしない。第二送信タイミングセルグループでは、同一の第二送信タイミングセルグループの送信タイミングタイマーが満了した場合、または第一送信タイミングセルグループの送信タイミングタイマーが満了した場合、同一の第二送信タイミングセルグループのセルに対して上りリンク送信処理を停止し、異なる第二送信タイミングセルグループの送信タイミングタイマーが満了した場合は、同一の第二送信タイミングセルグループのセルに対して上りリンク送信処理を停止することはしない。このように、第一セルで送信タイミングタイマーが満了になった場合と第二セルで送信タイミングタイマーが満了になった場合で移動局装置の動作を変えることで、移動局装置は、効率的な移動局装置の上りリンク送信処理が可能になる。
【００７６】
つまり、基地局装置と移動局装置は、複数の送信タイミングセルグループのセルを介して通知を行なっていた場合、基地局装置は、移動局装置からのデータ量などを考慮して、各送信タイミングセルグループの送信タイミング情報を通知したり、通知することを停止したりして、送信タイミングタイマーを継続させたり、停止させたりして、送信タイミングを有効・無効にすることで、基地局装置よる移動局装置の送信部制御が可能となる。尚、上りリンクの送信の停止は、ランダムアクセスプリアンブルの送信以外の上りリンク制御チャネルＰＵＣＣＨの送信、上りリンク共用チャネルＰＵＳＣＨの送信、上りリンク参照信号(測定用参照信号及び復調用参照信号)の送信の停止を示す。
【００７７】
移動局装置１−１と基地局装置３の動作を説明する。尚、例として、基地局装置３は、図３−１のようにセル１〜セル５から構成されていて、セル１〜セル３は送信タイミングが同じ送信タイミングセルグループであり、セル４〜セル５は別の送信タイミングが同じ送信タイミングセルグループであるとする。
【００７８】
移動局装置１−１は、セルサーチを行い、基地局装置３の１つのセルを見つける。ここではセル１を見つけるとする。移動局装置１−１は、セル１の報知チャネルＰＢＣＨなどを受信し、システム情報（セルの物理チャネル構成や送信電力情報やランダムアクセスに関する情報など）を取得する。そして、移動局装置１−１は、システム情報に含まれるランダムアクセスに関する情報を使用して、初期アクセスのためにセル１のランダムアクセスチャネルＲＡＣＨへランダムアクセスプリアンブルを送信する。そして、移動局装置１−１は、基地局装置３からセル１に対する送信タイミング情報を含んだランダムアクセスレスポンス情報を取得し、セル１に対する上りリンクコンポーネントキャリアの送信タイミングを設定して、送信タイミングタイマーをスタートさせる。移動局装置１−１は、セル１を介してメッセージ３を基地局装置３へ送信する。尚、移動局装置１−１は、このメッセージ３に初期アクセスを示した内容を含めてメッセージ３を送信する。そして、移動局装置１−１は、コンテンションレゾリューションを基地局装置３から受信すると競合ベースランダムアクセス手順を終了する。
【００７９】
ランダムアクセス手順が完了後、基地局装置３は、移動局装置１−１に使用させるセルを割り当て、第一セル及び送信タイミングセルグループ毎にランダムアクセスを許可するセルを通知する。ここでは、図３−２のように、基地局装置３は、移動局装置１−１にセル１〜セル５を割り当てて、セル１を第一セル、セル２〜セル５を第二セルに設定し、セル１とセル５に対して、ランダムアクセスを許可するように設定する。また、基地局装置３は、移動局装置１−１に割り当てたセルのシステム情報や送信タイミングセルグループのグループ情報、第一セルの上りリンク制御チャネルＰＵＣＣＨの割り当て情報、上りリンク参照信号（測定用参照信号）の生成情報や上りリンク参照信号（測定用参照信号）を送信するための無線リソース割り当て情報、定期的な上りリンク共用チャネルＰＤＳＣＨの無線リソース割り当て情報などの設定情報も移動局装置１−１に通知する。
【００８０】
そして、移動局装置１−１は、割り当てられたセルのシステム情報や送信タイミングセルグループのグループ情報を取得後、セル１と同じ送信タイミングセルグループのセル２とセル３の上りリンクの送信タイミングとしてセル１の送信タイミングを設定する。この後、移動局装置１−１と基地局装置３との間でセル１〜セル５の下りリンクコンポーネントキャリアとセル１〜セル３の上りリンクコンポーネントキャリアを介してデータのやり取りがされる。
【００８１】
移動局装置１−１からの送信データ量が多くなり、移動局装置１−１で利用していないセルがある場合、基地局装置３は、ランダムアクセスを許可したセルに対して非競合ベースランダムアクセスを行うように指示するランダムアクセス指示情報を下りリンク制御チャネルＰＤＣＣＨで通知する。ここでは、基地局装置３は、セル５に対してのランダムアクセス指示情報を移動局装置１−１に通知する。ランダムアクセス指示情報には、プリアンブル番号とランダムアクセスチャネル番号が含まれており、移動局装置１−１は、プリアンブル番号を確認し、プリアンブル番号が非競合ベースランダムアクセスを指示している場合、基地局装置３から指定されたプリアンブルとランダムアクセスチャネルを使用して、ランダムアクセスプリアンブルをセル５のランダムアクセスチャネルＲＡＣＨに送信する。
【００８２】
基地局装置３は、ランダムアクセスプリアンブルを検出すると、ランダムアクセスプリアンブルから送信タイミング情報を算出して、移動局装置１−１にセル５の下りリンクコンポーネントキャリアを介して送信タイミング情報を含んだランダムアクセスレスポンスを通知する。移動局装置１−１は、ランダムアクセスレスポンスを受信するとランダムアクセスレスポンスに含まれている送信タイミングをセル５の上りリンクの送信タイミングとして設定し、更に、同じ送信タイミングセルグループであるセル４の上りリンクの送信タイミングとして設定し、送信タイミングタイマーをスタートする。そして、移動局装置１−１は、非競合ベースランダムアクセス手順を完了する。この後、セル４とセル５の上りリンクコンポーネントキャリアも含めて、移動局装置１−１と基地局装置３との間でデータのやり取りを行なう。
【００８３】
移動局装置１−１は、送信タイミングセルグループ毎に１つの送信タイミングタイマーを持ち、送信タイミング情報を受信すると送信タイミングタイマーをスタート、またはリスタートする。基地局装置３も同様に送信タイミングセルグループ毎に１つの送信タイミングタイマーを持ち、送信タイミング情報を送信すると送信タイミングタイマーをスタート、またはリスタートする。送信タイミングタイマーが動作中は、上りリンク同期している（送信タイミングが有効である）状態であり、移動局装置１−１は、対象となる送信タイミングセルグループの上りリンクコンポーネントキャリアでの上りリンク送信が可能である。尚、送信タイミングタイマーは、セル毎に持つように構成しても良い。基地局装置３は、移動局装置１−１からの上りリンク参照信号を測定して、送信タイミング情報を算出して、送信タイミングを維持する必要がある場合、移動局装置１−１に送信タイミング情報を通知する。
【００８４】
第一セルを含む送信タイミングセルグループの送信タイミングタイマーが満了した場合、移動局装置１−１は、第二セルのみで構成される送信タイミングセルグループ（セル４、セル５）の送信タイミングタイマーを停止し、全セル（セル１、セル２、セル３、セル４、セル５）に対して、第一セルにおけるランダムアクセスプリアンブル送信以外の上りリンク送信を制限し、送信ＨＡＲＱ記憶部１０９（以降は、送信ＨＡＲＱバッファと示す。）に保存してある全データを消去する。そして、移動局装置１−１は、割り当てられている上りリンク制御チャネルＰＵＣＣＨの無線リソースと全てのセル（セル１、セル２、セル３、セル４、セル５）に対して割り当てられている測定用参照信号の無線リソースを解放する。また、下りリンク及び上りリンクの割り当て情報を取得している場合、移動局装置１−１は、すべての下りリンク共用チャネルＰＤＳＣＨの割り当て情報と上りリンク共用チャネルＰＵＳＣＨの割り当て情報を破棄する。
【００８５】
また、第一セルを含む送信タイミングセルグループの送信タイミングタイマーが満了した場合、基地局装置３は、第二セルのみで構成される送信タイミングセルグループ（セル４、セル５）の送信タイミングタイマーを停止し、移動局装置１−１の全セルに対して、上りリンク共用ＰＵＳＣＨチャネルの割り当てを停止し、受信ＨＡＲＱ記憶部２２１（以降は、受信ＨＡＲＱバッファと示す。）に保存してある全データを消去する。そして、基地局装置３は、移動局装置１−１に割り当てた上りリンク制御チャネルＰＵＣＣＨの無線リソースと全てのセルに対して割り当てた測定用参照信号の無線リソースを解放する。
【００８６】
第二セルのみで構成される送信タイミングセルグループの送信タイミングタイマーが満了した場合、移動局装置１−１は、送信タイミングタイマーが満了した送信タイミングセルグループに含まれるセル（セル４、セル５）に対しての上りリンク送信を停止し、送信ＨＡＲＱバッファに保存してある送信タイミングタイマーが満了した送信タイミングセルグループに含まれるセルに対するデータを消去する。移動局装置１−１は、送信タイミングタイマーが満了した送信タイミングセルグループに含まれるセルに割り当てられている測定用参照信号の無線リソースを解放する。また、移動局装置１−１は、下りリンク及び上りリンクの割り当て情報を取得している場合、送信タイミングタイマーが満了した送信タイミングセルグループに含まれるセルに対しての上りリンク共用チャネルＰＵＳＣＨの割り当て情報を破棄する。
【００８７】
また、第二セルのみで構成される送信タイミングセルグループの送信タイミングタイマーが満了した場合、基地局装置３は、送信タイミングタイマーが満了した送信タイミングセルグループに含まれるセル（セル４、セル５）に対しての上りリンク共用チャネルＰＵＳＣＨの割り当てを停止し、受信ＨＡＲＱ記憶部２２１に保存してある送信タイミングタイマーが満了した送信タイミングセルグループに含まれるセルに対するデータを消去する。そして、基地局装置３は、移動局装置１−１に割り当てた送信タイミングタイマーが満了した送信タイミングセルグループに含まれるセルに割り当てられている測定用参照信号の無線リソースを解放する。
【００８８】
送信タイミングタイマーが満了になった場合の移動局装置１−１の処理フローチャートを図４に示す。移動局装置１−１は、送信タイミングタイマーが満了になった場合、どの送信タイミングセルグループの送信タイミングタイマーが満了したかどうか確認する（ステップＳ１０１）。送信タイミングタイマーが満了した送信タイミングセルグループが、第一セルを含む送信タイミングセルグループの場合、移動局装置１−１は、第二セルのみで構成される送信タイミングセルグループの送信タイミングタイマーを停止し、全セルに対して、第一セルにおけるランダムアクセスプリアンブル送信以外の上りリンク送信処理を停止し（ステップＳ１０２）、送信ＨＡＲＱバッファに保存してある全データを消去する（ステップＳ１０３）。そして、移動局装置１−１は、割り当てられている上りリンク制御チャネルＰＵＣＣＨの無線リソースと全てのセルに対して割り当てられている測定用参照信号の無線リソースを解放する（ステップ１０４）。また、移動局装置１−１に定期的な上りリンク共用チャネルＰＤＳＣＨの無線リソースを割り当てられている場合、その無線リソースも解放する。
【００８９】
更に、移動局装置１−１は、下りリンク及び上りリンクの割り当て情報を取得している場合、すべての下りリンク共用チャネルＰＤＳＣＨの割り当て情報と上りリンク共用チャネルＰＵＳＣＨの割り当て情報を破棄する（ステップＳ１０５）。尚、第一セルを含む送信タイミングセルグループで送信タイミングが無効の間、移動局装置１−１は、下りリンク制御チャネルＰＤＣＣＨで通知される上りリンクの割り当て情報の検出処理を行っても良い。ただし、上りリンクの割り当て情報を検出した場合、移動局装置１−１は、取得した上りリンクの割り当て情報を破棄する。尚、移動局装置１−１は、第一セルを含む送信タイミングセルグループで送信タイミングが有効になるまで、下りリンク共用チャネルＰＤＳＣＨでデータを受信した場合においても基地局装置３にデータの応答（Ａｃｋ／Ｎａｃｋ）を返さない。尚、基地局装置３から割り当てられている上りリンク制御チャネルＰＵＣＣＨの中でデータの応答（Ａｃｋ／Ｎａｃｋ）用のための上りリンク制御チャネルＰＵＣＣＨの無線リソースは、解放しないようにしても良い。この場合、再度、上りリンク同期が再開された場合、直ぐに移動局装置１−１は、下りリンクデータに対する応答を基地局装置３に返すことができる。
【００９０】
送信タイミングタイマーが満了した送信タイミングセルグループが、第二セルのみで構成される送信タイミングセルグループの場合、移動局装置１−１は、送信タイミングタイマーが満了した送信タイミングセルグループに含まれるセルに対しての上りリンク送信処理を停止し（ステップＳ１０６）する。尚、この場合も、移動局装置１−１は、ランダムアクセスプリアンブルの送信は可能である。そして、移動局装置１−１は、送信ＨＡＲＱバッファに保存してある送信タイミングタイマーが満了した送信タイミングセルグループに含まれるセルに対するデータを消去する（ステップＳ１０７）。移動局装置１−１は、送信タイミングタイマーが満了した送信タイミングセルグループに含まれるセルに割り当てられている測定用参照信号の無線リソースを解放する（ステップＳ１０８）。
【００９１】
また、移動局装置１−１は、下りリンク及び上りリンクの割り当て情報を取得している場合、送信タイミングタイマーが満了した送信タイミングセルグループに含まれるセルに対しての上りリンク共用チャネルＰＵＳＣＨの割り当て情報を破棄する（ステップＳ１０９）。尚、移動局装置１−１は、送信タイミングタイマーが満了した送信タイミングセルグループに含まれるセルに対しての下りリンク制御チャネルＰＤＣＣＨで通知される上りリンクの割り当て情報の検出処理は行っても良いが、上りリンクの割り当て情報を検出した場合、移動局装置１−１は、取得した上りリンクの割り当て情報を破棄する。また、移動局装置１−１は、第二セルのみで構成される送信タイミングセルグループの送信タイミングが無効の状態であっても、下りリンク共用チャネルＰＤＳＣＨでデータを受信した場合、第一セルの上りリンク制御チャネルＰＵＣＣＨの無線リソースを用いて基地局装置３にデータの応答（Ａｃｋ／Ｎａｃｋ）を返す。
【００９２】
送信タイミングタイマーが満了になった場合の基地局装置３の処理フローチャートを図５に示す。基地局装置３は、送信タイミングタイマーが満了になった場合、どの送信タイミングセルグループの送信タイミングタイマーが満了したかどうか確認する（ステップＳ２０１）。送信タイミングタイマーが満了した送信タイミングセルグループが、第一セルを含む送信タイミングセルグループの場合、基地局装置３は、第二セルのみで構成される送信タイミングセルグループの送信タイミングタイマーを停止し、移動局装置１−１の上りリンク共用チャネルＰＵＳＣＨの割り当て処理を停止し（ステップＳ２０２）、受信ＨＡＲＱバッファに保存してある全データを消去する（ステップＳ２０３）。そして、基地局装置３は、移動局装置１−１に割り当てた上りリンク制御チャネルＰＵＣＣＨの無線リソースと全てのセルに対して割り当てた測定用参照信号の無線リソースを解放する（ステップ２０４）。
【００９３】
尚、基地局装置３が移動局装置１−１に割り当てた上りリンク制御チャネルＰＵＣＣＨの中でデータの応答（Ａｃｋ／Ｎａｃｋ）用のための上りリンク制御チャネルＰＵＣＣＨの無線リソースは、解放しないようにしても良い。この場合、再度、上りリンク同期が再開された場合、直ぐに移動局装置１−１は、下りリンクデータに対する応答を基地局装置３に返すことができる。
【００９４】
送信タイミングタイマーが満了した送信タイミングセルグループが、第二セルのみで構成される送信タイミングセルグループの場合、基地局装置３は、送信タイミングタイマーが満了した送信タイミングセルグループに含まれるセルに対しての上りリンク共用チャネルＰＵＳＣＨの割り当て処理を停止し（ステップＳ２０５）する。そして、基地局装置３は、受信ＨＡＲＱバッファに保存してある送信タイミングタイマーが満了した送信タイミングセルグループに含まれるセルに対するデータを消去する（ステップＳ２０６）。基地局装置３は、送信タイミングタイマーが満了した送信タイミングセルグループに含まれるセルに割り当てた測定用参照信号の無線リソースを解放する（ステップＳ２０７）。
【００９５】
このようにすることで、基地局装置と移動局装置は、複数の送信タイミングセルグループのセルを介して通知を行なっていた場合、基地局装置は、移動局装置からのデータ量などを考慮して、各送信タイミングセルグループの送信タイミング情報を通知したり、通知を停止したりして、送信タイミングタイマーを継続させたり、停止させたりして、送信タイミングを有効・無効することで、移動局装置の効率的な送信制御が可能となる。
【００９６】
上記実施例では、送信タイミングタイマーが満了した場合、送信タイミングタイマーが満了したセルに関連するセルの上りリンクの送信処理停止に関する動作例を示したが、送信タイミングタイマーが満了した場合、上りリンクの送信処理の停止だけでなく、下りリンクの受信処理の停止も行なうようにしても良い。
【００９７】
つまり、第一セルを含む送信タイミングセルグループの送信タイミングタイマーが満了した場合、更に、移動局装置１−１は、すべての第二セルに対して、下りリンクの受信処理を停止し、受信ＨＡＲＱバッファに保存してあるすべての第二セルに対してのデータを消去する。そして、第二セルのみで構成される送信タイミングセルグループの送信タイミングタイマーが満了した場合、移動局装置１−１は、送信タイミングタイマーが満了した送信タイミングセルグループのセルに対する下りリンクの受信処理を停止し、送信タイミングタイマーが満了した送信タイミングセルグループのセルの受信ＨＡＲＱバッファに保存してあるデータを消去するようにしても良い。
【００９８】
このようにすることで、移動局装置１−１の上りリンクの送信制御でだけでなく、移動局装置１−１の効率的な受信制御も可能となる。
【００９９】
以上、図面を参照してこの発明の一実施形態について詳しく説明してきたが、具体的な構成は上述のものに限られることはなく、この発明の要旨を逸脱しない範囲内において様々な設計変更等をすることが可能である。
【０１００】
また、説明の便宜上、実施形態の移動局装置１−１及び基地局装置３を機能的なブロック図を用いて説明したが、移動局装置１−１及び基地局装置３の各部の機能またはこれらの機能の一部を実現するためのプログラムをコンピュータ読み取り可能な記録媒体に記録して、この記録媒体に記録されたプログラムをコンピュータシステムに読み込ませ、実行することにより移動局装置や基地局装置の制御を行なっても良い。尚、ここでいう「コンピュータシステム」とは、ＯＳや周辺機器等のハードウェアを含むものとする。
【０１０１】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに、前述した機能をコンピュータシステムに既に記録されているプログラムとの組み合わせで実現できるものであっても良い。
【０１０２】
また、上記各実施形態に用いた各機能ブロックは、典型的には集積回路であるＬＳＩとして実現してもよい。各機能ブロックは個別にチップ化してもよいし、一部または全部を集積してチップ化してもよい。また、集積回路化の手法はＬＳＩに限らず専用回路または汎用プロセッサで実現しても良い。また、半導体技術の進歩によりＬＳＩに代替する集積回路化の技術が出現した場合、当該技術による集積回路を用いることも可能である。
【０１０３】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０１０４】
１−１〜１−３  移動局装置
３  基地局装置
５−１、５−２  リピータ
１０１、２０１  無線部
１０３、２０３  送信処理部
１１５、２１５  受信処理部
１０７、２０７  送信ＨＡＲＱ処理部
１０９、２０９  送信ＨＡＲＱ記憶部
１１９、２１９  受信ＨＡＲＱ処理部
１２１、２２１  受信ＨＡＲＱ記憶部
１２３、２２３  制御部
１２５  移動局管理部
２２５  基地局管理部
【図１】
0005307112.tif 000002
【図２】
0005307112.tif 000003
【図３−１】
0005307112.tif 000004
【図３−２】
0005307112.tif 000005
【図４】
0005307112.tif 000006
【図５】
0005307112.tif 000007
【図６】
0005307112.tif 000008
【図７】
0005307112.tif 000009
【図８】
0005307112.tif 000010
【図９】
0005307112.tif 000011
【図１０】
0005307112.tif 000012
【図１１】
0005307112.tif 000013
【図１２】
0005307112.tif 000014
【図１３】
0005307112.tif 000015